(57)【要約】【課題】上記の問題点を解決し、部品数が少なく、製造コストも安く済み、人間だけでなく、ペットにも安定して適用可能なヘアクリップを提供する。【解決手段】枢支部４において互いに旋回可能に連結された第１及び第２挟持部材２，３によって、それらを閉じたときヘア挟持部５が形成されるヘアクリップ１において、前記第１挟持部材２は、その内面２ｌに、隆起２ｎと、前記隆起２ｎの上にズレ止め突起２ｉｆ〜２ｉｔとが設けられ、前記第２挟持部材３は、前記ズレ止め突起２ｉｆ〜２ｉｔを受容する受け孔３ｅが設けられていることを特徴とする。【選択図】図１
2019180824.tif 000002
【特許請求の範囲】
【請求項１】
枢支部において互いに旋回可能に連結された第１挟持部材及び第２挟持部材によって、それらを閉じたときヘア挟持部が形成されるヘアクリップにおいて、
前記第１挟持部材は、その内面に、隆起と、前記隆起の上にズレ止め突起とが設けられ、
前記第２挟持部材は、前記ズレ止め突起を受容する受け孔が設けられていることを特徴とする、ヘアクリップ。
【請求項２】
前記枢支部は、前記第１挟持部材に形成された一対の軸筒と、
前記第２挟持部材に形成された前記軸筒に回転可能に嵌る軸と、を有し、
前記第１挟持部材が可撓性プラスチックで作製されたことを特徴とする、請求項１に記載のヘアクリップ。
【請求項３】
枢支部において互いに旋回可能に連結された第１挟持部材及び第２挟持部材によって、それらを閉じたときヘア挟持部が形成されるヘアクリップにおいて、
前記第１挟持部材の前記枢支部に近接した位置に、対向する前記第２挟持部材へ向けて突出する立上げ隔壁が設けられ、
前記立上げ隔壁を挟んで、前記枢支部が前記ヘア挟持部とは反対側に設けられたことを特徴とする、ヘアクリップ。
【請求項４】
前記第１挟持部材において、前記立上げ隔壁の頂部から前記ヘア挟持部とは反対側に湾曲した後、当該立上げ隔壁に沿って延びる延長壁が設けられ、前記湾曲した箇所に前記枢支部を設けられたことを特徴とする、請求項３に記載のヘアクリップ。
【請求項５】
前記第１挟持部材及び第２挟持部材の少なくとも一方を可撓性プラスチックで作製したことを特徴とする、請求項３又は請求項４に記載のヘアクリップ。
【請求項６】
前記第１挟持部材は、その内面にズレ止め突起が設けられ、
前記第２挟持部材は、前記ズレ止め突起を受容する受け孔が設けられていることを特徴とする、請求項３〜請求項５のいずれか１項に記載のヘアクリップ。
【請求項７】
前記ズレ止め突起は、一直線上に並んだ状態で複数設けられ、
外側の前記ズレ止め突起よりも、内側の前記ズレ止め突起の長さが短いことを特徴とする、請求項１、請求項２又は請求項６に記載のヘアクリップ。
【請求項８】
前記ズレ止め突起は、その先端が丸みを帯びていることを特徴とする、請求項１、請求項２、請求項６又は請求項７に記載のヘアクリップ。
【発明の詳細な説明】
【技術分野】
【０００１】
本発明は、ヘアが絡まることのないヘアクリップに関し、人間用としてもペット用としても適用可能なヘアクリップに関する。
【背景技術】
【０００２】
人間の髪や犬、猫等のペットの毛にリボンや造花等の装飾具を装着するためのヘアクリップは従来から各種各様のものが公知であるが、そのヒンジ部分に毛髪等（本願明細書において、人間の毛髪及びペットの体毛を総称して「ヘア」と言う。）が絡まりやすいという問題があった。
【０００３】
これを解消するため、例えば特許文献１には、人間用のヘアクリップのヒンジ部分に嵌め込むヘアクリップ用カバーや、これを備えたヘアクリップが開示されている。
しかし、このヘアクリップ用カバーは小さなものであるため紛失しやすく、また予めこれを取り付けたヘアクリップは部品数と組立工程数が増加するためコスト高になるという問題があった。
【先行技術文献】
【特許文献】
【０００４】
【特許文献１】特開２００４−４７０号公報
【発明の概要】
【発明が解決しようとする課題】
【０００５】
本発明は、上記の問題点を解決し、部品数が少なく、製造コストも安く済み、人間だけでなく、ペットにも安定して適用可能なヘアクリップを提供することを目的とする。
【課題を解決するための手段】
【０００６】
上記の課題を解決するため、請求項１に係るヘアクリップは、枢支部において互いに旋回可能に連結された第１挟持部材及び第２挟持部材によって、それらを閉じたときヘア挟持部が形成されるヘアクリップにおいて、前記第１挟持部材に、その内面に隆起と、前記隆起の上にズレ止め突起とが設けられ、前記第２挟持部材に、前記ズレ止め突起を受容する受け孔が設けられたことを特徴とする。
【０００７】
好適な実施例としての請求項２に係るヘアクリップは、前記枢支部は、前記第１挟持部材に形成された一対の軸筒と、前記第２挟持部材に形成された前記軸筒に回転可能に嵌る軸と、を有し、前記第１挟持部材が可撓性プラスチックで作製されたことを特徴とする。
【０００８】
上記の課題を解決するため、請求項３に係るヘアクリップは、枢支部において互いに旋回可能に連結された第１及び第２挟持部材によって、それらを閉じたときヘア挟持部が形成されるヘアクリップにおいて、前記第１挟持部材の前記枢支部に近接した位置に、対向する前記第２挟持部材へ向けて突出する立上げ隔壁を設け、前記枢支部を前記立上げ隔壁を挟んで前記ヘア挟持部とは反対側に設けたことを特徴とする。
【０００９】
好適な実施例としての請求項４に係るヘアクリップは、前記第１挟持部材において、前記立上げ隔壁の頂部から前記ヘア挟持部とは反対側に湾曲した後、当該立上げ隔壁に沿って延びる延長壁が設けられ、前記湾曲した箇所に前記枢支部を設けられたことを特徴とする。
【００１０】
好適な実施例としての請求項５に係るヘアクリップは、前記第１挟持部材及び第２挟持部材の少なくとも一方を可撓性プラスチックで作製したことを特徴とする。
【００１１】
好適な実施例としての請求項６に係るヘアクリップは、前記第１挟持部材は、その内面にズレ止め突起が設けられ、前記第２挟持部材は、前記ズレ止め突起を受容する受け孔が設けられていることを特徴とする。
【００１２】
好適な実施例としての請求項７に係るヘアクリップは、前記ズレ止め突起は、一直線上に並んだ状態で複数設けられ、外側の前記ズレ止め突起よりも、内側の前記ズレ止め突起の長さが短いことを特徴とする。
【００１３】
好適な実施例としての請求項８に係るヘアクリップは、前記ズレ止め突起は、その先端が丸みを帯びていることを特徴とする。
【発明の効果】
【００１４】
本発明の上記請求項１に係るヘアクリップによるときは、第１挟持部材の内面に設けられた隆起とズレ止め突起と、第２挟持部材の受け孔により、ヘア挟持部が形成されると、ヘアクリップをヘアに確りと固定させることができる。
【００１５】
上記請求項２に係るヘアクリップによれば、軸筒と軸の間にヘアが挟まる隙間が形成されないように枢支部が、形成させることができる。
【００１６】
本発明の上記請求項３に係るヘアクリップによるときは、そのヘア挟持部と枢支部との間に設けられた立上げ隔壁によって、ヘア挟持部で保持されているヘアが枢支部側へ入り込むのが防止されることにより、ヘアが絡まることのないヘアクリップを提供できる。
【００１７】
上記請求項４に係るヘアクリップによれば、第１挟持部材に設けた立上げ隔壁と延長壁との間を通じて、両者間の湾曲部の軸孔に第２挟持部材の枢軸を収容することが可能であるため、プラスチック成形により作製した第１及び第２挟持部材のみによって、それらの枢支部を構成でき、製造コストを低減できる。
【００１８】
上記請求項５に係るヘアクリップによれば、第１挟持部材及び第２挟持部材の少なくとも一方を可撓性プラスチックで作製することにより、それ自体の弾性復元力によってトーションスプリング等のスプリング部材を用いることなく第１及び第２挟持部材の閉じた状態の安定維持と、スムーズな開放動作を得ることができると共に、前記枢支部の組立作業も容易となる。
【００１９】
上記請求項６に係るヘアクリップによれば、第１挟持部材の内面に設けられたズレ止め突起と、第２挟持部材に設けられたズレ止め突起を受容する受け孔により、ヘア挟持部が形成されると、ヘアクリップをヘアに確りと固定させることができる。
【００２０】
上記請求項７に係るヘアクリップによれば、ズレ止め突起が、一直線上に並んだ状態で複数設けられ、外側の前記ズレ止め突起よりも、内側の前記ズレ止め突起の長さが短いことにより、ヘアクリップを装着させたときに、ズレ止め突起の先端が体表面に強く当たるのを防ぐことができる。
【００２１】
上記請求項８に係るヘアクリップによれば、ズレ止め突起は、その先端が丸みを帯びていることにより、体表面に当たっても与える刺激を少なくすることができる。
【図面の簡単な説明】
【００２２】
【図１】第１実施形態のヘアクリップが開いた状態を示す側面図である。
【図２】図１のヘアクリップの閉じた状態を示す側面図である。
【図３】図１のヘアクリップの分解斜視図である。
【図４】（ａ）は図１のヘアクリップの斜視背面図であり、（ｂ）は枢支部を構成する要素を説明するための説明図である。
【図５】（ａ）は図１のヘアクリップの一部拡大断面図であり、（ｂ）は（ａ）に対応する他の実施形態の一部拡大断面図であり、（ｃ）は（ａ）に対応する比較例の一部拡大断面図である。
【図６】第２実施形態のヘアクリップが開いた状態を示す斜視図である。
【図７】図６のヘアクリップの分解斜視図である。
【図８】（ａ）は比較例の分解斜視図、（ｂ）は組み立てられた状態を示す斜視図である。
【図９】第３実施形態のヘアクリップが開いた状態を示す側面図である。
【図１０】（ａ）は設置層を設けた図９のヘアクリップの一部斜視図、（ｂ）は設置層を設けた図１のヘアクリップの一部斜視図である。
【発明を実施するための形態】
【００２３】
〔第１実施形態〕
以下、本発明のヘアクリップの第１実施形態について説明する。
本実施形態のヘアクリップ１は、図１に示すように、第１挟持部材２と第２挟持部材３とが長さ方向Ｘの一端に形成された枢支部４において互いに旋回可能に連結され、これらを閉じたときに両者により、幅方向Ｙに沿ってヘアを挟持するヘア挟持部５が形成されるようになっている。
本実施形態では、図３に示すように、第１挟持部材２の外面２ｋにリボンや造花等から成る装飾具６が両面粘着テープ７によって取り付けられるようになっている。
なお、ヘアクリップ１が閉じた状態において、第１挟持部材２の第２挟持部材３と対向する面を第１挟持部材２の内面２ｌとし、その反対側の面を外面２ｋとする。また、第２挟持部材３の第１挟持部材２と対向する面を第２挟持部材３の内面３ｌとし、その反対側の面を外面３ｋとする。
【００２４】
<第１挟持部材２>
第１挟持部材２は、図１に示すように、主体部２ａと、長さ方向Ｘの一端に形成された２つの軸筒２ｍと、主体部２ａの内面２ｌに形成された、装着期間中におけるズレを防止する隆起２ｎと、隆起２ｎの上に形成された、装着期間中におけるズレを防止するズレ止め突起２ｉと、長さ方向Ｘの他端に形成された第２挟持部材３を閉じた状態で係止するための係止玉２ｈを先端に有する係止突起２ｇとを有している。
第１挟持部材２は、可撓性プラスチックの成形により一体的に作製されている。
【００２５】
軸筒２ｍは、後述する第２挟持部材３の軸３ｆと共に、枢支部４を形成するものである。
軸筒２ｍは、図１に示すように、幅方向Ｙに沿って２つ形成されている。２つの軸筒２ｍは、それぞれの孔２ｍａの中心が同一直線上に位置するように配置されている。
【００２６】
軸筒２ｍ、２ｍの対向する面は、図４（ａ）及び（ｂ）に示すように、その一部に傾斜面２ｍｂが形成されている。
具体的には、傾斜面２ｍｂは、図４（ａ）に示すように、後述するヘア挟持部５に露出しないように形成されている。これにより、傾斜面２ｍｂが形成されていても、ヘア挟持部５で保持されているヘアが枢支部４側へ入り込むのを防止することができる。
【００２７】
傾斜面２ｍｂは、図４（ｂ）に示すように、孔２ｍａの縁から、外側に行くに従い、傾斜面２ｍｂ同士の幅が広くなるように形成されている。これにより、第１挟持部材２の軸筒２ｍ、２ｍの間に第２挟持部材３の軸３ｆを押し入れることにより、軸筒２ｍ、２ｍの間が第２挟持部材３により押し広げられる。このため、容易に第２挟持部材３の突起３ｈを孔２ｍａに嵌め入れることができる。
なお、傾斜面２ｍｂが形成されていても、通常の使用において、突起３ｈが孔２ｍａから抜け出ることはない。
【００２８】
隆起２ｎは、図１に示すように、主体部２ａの長さ方向Ｘの中程で、かつ幅方向Ｙの中程に形成されている。
隆起２ｎは、図２及び図３に示すように、その外縁が、後述する第２挟持部材３の受け孔３ｅの周縁の形状とほぼ同じであるが、その大きさが、受け孔３ｅよりも小さい。つまり、隆起２ｎの長さ方向Ｘの長さＬ１は、受け孔３ｅの長さ方向Ｘの長さＬ２よりも短く、隆起２ｎの幅方向Ｙの長さＬ３は、受け孔３ｅの幅方向Ｙの長さＬ４よりも短い。これにより、図５（ａ）に示すように、取付けるときに、隆起２ｎの幅方向Ｙの一対の外縁と、それに対応する受け孔３ｅの幅方向Ｙの一対の周縁とにより、ヘアを幅方向Ｙの前後で挟持することができる。これにより、ヘアクリップ１が幅方向Ｙにずれるのを防止できる。
【００２９】
ズレ止め突起２ｉは、図１に示すように、長さ方向Ｘに沿って一直線上に並んだ状態で形成されている。
本実施形態では、ズレ止め突起２ｉとして、一直線上に並んであるもののうち両端に第一ズレ止め突起２ｉｆと、第一ズレ止め突起２ｉｆの内側に第二ズレ止め突起２ｉｓと、第二２ｉｓの内側に第三ズレ止め突起２ｉｔが形成されている。
第三ズレ止め突起２ｉｔは、第二ズレ止め突起２ｉｓよりも短く形成され、第二ズレ止め突起２ｉｓは、第一ズレ止め突起２ｉｆよりも短く形成されている。つまり、外側から内側に位置するに従い、ズレ止め突起２ｉの長さが短くなっている。これにより、ペットの頭等の丸みを帯びた箇所に取付けたときに、それぞれの先端が、体表面に沿って位置することができる。つまり、第二ズレ止め突起２ｉｓの先端が体表面に強く当たるのを防ぐことができ、体表面に当たっても与える刺激を少なくすることができる。
第一ズレ止め突起２ｉｆ、第二ズレ止め突起２ｉｓ及び第三ズレ止め突起２ｉｔは、その先端が、皮膚に当たっても痛みを与えない程度に丸みを帯びている。
なお、第一ズレ止め突起２ｉｆと第二ズレ止め突起２ｉｓと第三ズレ止め突起２ｉｔを区別する必要がない場合は、単にズレ止め突起２ｉと称する。
【００３０】
<第２挟持部材３>
第２挟持部材３は、図１に示すように、主体部３ａと、その一端に設けた軸３ｆと、第１挟持部材２の係止玉２ｈが挿入、係止される係止孔３ｄと、第１挟持部材２のズレ止め突起２ｉを受容する受け孔３ｅとを有する。
第２挟持部材３は、第１挟持部材２と同様に、可撓性プラスチックの成形により一体的に作製されている。
【００３１】
軸３ｆは、図３に示すように、幅方向Ｙの中程に、周方向に出っ張っているフランジ３ｇと、フランジ３ｇの幅方向Ｙの両側に、第１挟持部材２の軸筒２ｍに回転可能に嵌る突起３ｈを有している。
フランジ３ｇの幅方向Ｙの幅は、第１挟持部材２の２つの軸筒２ｍの対向する面同士の間の距離と略等しいか、僅かに大きい。これにより、フランジ３ｇと軸筒２ｍの間にヘアが挟まる隙間が形成されないように、軸筒２ｍ、２ｍによりフランジ３ｇを確りと挟むことができる。
【００３２】
係止孔３ｄは、図２に示すように、ヘアクリップ１を閉じたときに、係止玉２ｈと対向する位置に形成されている。
係止孔３ｄは、幅方向Ｙの幅が係止玉２ｈの直径よりも小さいが、係止孔３ｄに少し強い押し付けられた係止玉２ｈが通過できるように形成されている。これにより、係止孔３ｄを通過した係止玉２ｈは、ヘアクリップ１を取り外すために第２挟持部材３を第１挟持部材２から押し離すような力が加えられるまで、係止孔３ｄに係止される。
【００３３】
受け孔３ｅは、図２に示すように、ヘアクリップ１を閉じたときに、隆起２ｎとズレ止め突起２ｉに対向する位置に形成されている。
受け孔３ｅは、長さ方向Ｘの幅を、ズレ止め突起２ｉの数に応じて、適宜変更することができる。
【００３４】
ヘアクリップ１を、図３に示す状態から組み立てるときには、第１挟持部材２の軸筒２ｍ、２ｍを少し強い力で外側に開き、軸筒２ｍ、２ｍの各々に傾斜面２ｍｂが対向している側から第２挟持部材３の軸３ｆを押し入れて、突起３ｈ、３ｈを軸筒２ｍ、２ｍの孔２ｍａ、２ｍａに嵌め入れる。これにより、第１挟持部材２と第２挟持部材３が、枢支部４において互いに旋回可能なように連結される。また、それらを図２に示すように閉じたときに、第１挟持部材２の内面２ｌと第２挟持部材３の内面３ｌにより、ヘア挟持部５が形成される。
軸筒２ｍ、２ｍの各々に傾斜面２ｍｂが形成されているので、突起３ｈ、３ｈを軸筒２ｍ、２ｍの孔２ｍａ、２ｍａに容易に嵌め入れることができる。
また、傾斜面２ｍｂが挟持部５に露出しないように形成されているので、ヘア挟持部５で保持されているヘアが枢支部４側へ入り込むのを防止することができる。
【００３５】
＜装飾具６＞
装飾具６は、造花以外にリボン、フィギュア等々とすることが可能である。また、飼い主とペットがお揃いの装飾具６を用いた大小のヘアクリップを使用できるようにセットで提供したりすることも可能である。また、装飾具６を取り付ける代わりに、第１挟持部材２自体又は第２挟持部材３自体に絵柄や凹凸模様や彫刻等の装飾を施すようにしてもよい。これによりシンプルで耐久性に優れたものを低コストで提供することが可能となる。
【００３６】
また、本実施形態では、装飾具６の取付手段として両面粘着テープ７が用いられているが、これに限らず、面ファスナーやホック（スナップ）等を用いることができる。これにより、ヘアクリップに装飾具６を繰り返し着脱可能に確りと取付けることができる。また、接着剤や高周波溶着等によることも可能である。
【００３７】
<ヘアクリップ１の着脱方法>
次に、上述したヘアクリップ１の着脱方法について、ペットの頭部に着脱させる場合を挙げて説明する。
【００３８】
まず、ヘアクリップ１を取り付ける方法について説明する。
最初に、ヘアクリップ１を、図１で示した状態と上下を逆にして、第２挟持部材３を頭部のヘアの中に差し入れた後、第１挟持部材２を第２挟持部材３に重ね合わせる。
そして、その状態で、第１挟持部材２を少し強い力で押し付けると、第１挟持部材２の係止突起２ｇの頂部の係止玉２ｈが２挟持部材３の係止孔３ｄに嵌まり込んで、図２に示すような閉じた状態が保持される。このとき、ペットのヘアはヘアクリップ１のヘア挟持部５内に挟持された状態で保持され、ペットの頭部の一定位置に安定的に装着された状態が保たれる。
【００３９】
次に、ヘアクリップ１を取り外す方法について説明する。
ヘアクリップ１を取り外すときは、第２挟持部材３を第１挟持部材２から押し離すような力を加える。それにより、第１挟持部材２の係止玉２ｈが第２挟持部材３の係止孔３ｄから離脱して、第２挟持部材３が枢支部４において旋回可能な状態に戻すことができる。これにより、第１挟持部材２と第２挟持部材３を開いて、ヘアクリップ１をペットの頭から取り外すことができる。
【００４０】
<ヘアクリップ１により奏する効果>
次に、ヘアクリップ１により奏する効果について説明する。
ヘアクリップ１は、図１に示すように、第１挟持部材２に隆起２ｎが形成され、第２挟持部材３に受け孔３ｅが形成されている。これにより、ヘアクリップ１を装着するときに、図５（ａ）に示すように、隆起２ｎの幅方向Ｙの一対の外縁と、それに対応する受け孔３ｅの幅方向Ｙの一対の周縁により、ヘアを幅方向Ｙの前後で確りと挟持することができる。これにより、ヘアにヘアクリップ１を確りと固定することができる。つまり、ヘアクリップ１の位置が、固定されているヘアに対して、長さ方向Ｘと幅方向Ｙのどちらか一方又は両方に変わるのを防止できる。これにより、ペットにヘアクリップ１を違和感や不快感が生じないように装着させれば、ヘアクリップ１の位置が変わることで違和感や不快感が生じて、ヘアクリップ１を外そうとする動きを行うのを防止できる。そのため、ペットにもヘアクリップ１を安定して取付けることができる。
【００４１】
また、図５（ａ）に示すように、隆起２ｎが形成されていることにより、図５（ｃ）に示すように隆起２ｎが形成されていない比較例と比べて、ヘアを幅方向Ｙの前後で確りと挟持するときに、ヘアの量が少なくても確りとヘアクリップ１を固定することができる。
【００４２】
さらに、本実施形態の第１挟持部材２には、ズレ止め突起２ｉが形成されている。これにより、ヘアにヘアクリップ１をさらに確りと固定することができる。つまり、ズレ止め突起２ｉ同士の間にヘアが挟まることにより、ヘアクリップ１の位置が、固定されているヘアに対して、長さ方向Ｘと幅方向Ｙのどちらか一方又は両方に変わるのを防止できる。これにより、ペットにもヘアクリップ１をより安定して取付けることができる。
【００４３】
さらにまた、本実施形態の枢支部４は、第１挟持部材２の軸筒２ｍ、２ｍと、軸筒２ｍ、２ｍの孔２ｍａ、２ｍａに嵌め入れられる第２挟持部材３の突起３ｈ、３ｈとを有する。つまり、枢支部４は蝶番として形成されている。そして、フランジ３ｇの幅方向Ｙの幅が、第１挟持部材２の２つの軸筒２ｍの対向する面同士の間の距離と略等しいか、僅かに大きく形成されている。これにより、フランジ３ｇと軸筒２ｍの隙間が極力形成されないようにすることができ、ヘアが隙間に入り込むことを防ぐことができる。
【００４４】
また、枢支部４は、可撓性プラスチックの成形された第１挟持部材２と第２挟持部材３により蝶番として形成されている。換言すると、枢支部４がピンなどの金具を使用せずに形成されている。それにより、大型の犬等の動作の大きな動物にも安全な状態で装着させることができる。つまり、蝶番を形成させるために金具のピンを用いるのがほとんどであるが、その場合には、金具のピンが外れてしまったときに、そのピンを踏むことによる怪我や、そのピンの誤飲が発生する虞がある。特に、大型の犬等の動作が大きい動物に装着させた場合にピンが外れる可能性が大きくなり、上述した怪我や誤飲が生じる虞が大きくなる。これに対して、ヘアクリップ１は、上述した怪我や誤飲が生じる虞がなく、大型の犬等の動作の大きな動物にも安全な状態で装着させることができる。
【００４５】
ズレ止め突起２ｉとして、第一ズレ止め突起２ｉｆ、第二ズレ止め突起２ｉｓ、及び第三ズレ止め突起２ｉｔが形成されているので、それぞれの先端を、ペットの頭の表面に沿って位置させることができる。これにより、それぞれの先端が、ペットの頭に強く当たることで違和感や不快感を生じさせないように装着させることができるので、ペットがヘアクリップ１を外そうとする動きを行うのを防止できる。これにより、ペットにヘアクリップ１を安定して取付けることができる。
【００４６】
また、第１挟持部材２が可撓性プラスチックで作製されていることにより、それ自体の弾性復元力によって、２つの軸筒２ｍ、２ｍがフランジ３ｇを確りと挟み込むことで、フランジ３ｇと軸筒２ｍの間にヘアが挟まるのを防ぐことができる。これにより、ヘアが挟まることにより、ペットに違和感や不快感を生じさせないように装着させることができるので、ペットがヘアクリップ１を外そうとする動きを行うのを防止できる。これにより、ペットにヘアクリップ１を安定して取付けることができる。
また、枢支部４の組立作業も容易に行うことができる。
【００４７】
さらに、第１挟持部材２と第２挟持部材３が可撓性プラスチックで作製されていることにより、係止玉２ｈが係止孔３ｄに係止されると、自身の弾性復元力によって、トーションスプリング等のスプリング部材を用いることなく、ヘアを確りと挟持したまま第１挟持部材２と第２挟持部材３の閉じた状態を、安定して維持することができる。
【００４８】
装飾具６が両面粘着テープ７により着脱可能に取付けられていることにより、状況に応じて様々な装飾具６を付け替えて使用することができる。
【００４９】
〔第２実施形態〕
次に、本発明のヘアクリップの第２実施形態について説明する。
なお、第１実施形態と同じ構成要素については、同じ符号を付してその説明を省略する。
【００５０】
本実施形態のヘアクリップ１Ａを構成する第１挟持部材８は、図６に示すように、第１実施形態の第１挟持部材２と異なり内面８ｌが平坦に形成されている。つまり、隆起２ｎが形成されていない。また、枢支部４の構造が異なる。
具体的には、第１挟持部材８は、主体部８ａと、長さ方向Ｘの一端に形成した立上げ隔壁８ｂと、その上端をヘア挟持部５とは反対側へ曲げた湾曲部８ｃから下方へ延びる延長部８ｄと、湾曲部８ｃに形成された軸孔８ｅと、この軸孔８ｅに通じるスリット８ｆと、第２挟持部材３を閉じた状態で係止するための係止玉８ｈを先端に有する係止突起８ｇと、装着期間中におけるズレを防止する５つのズレ止め突起８ｉと、第２挟持部材９を開く際にそれへの指掛け操作を容易にするための２つの切欠き８ｊとを有している。
第１挟持部材８は、可撓性プラスチックの成形により一体的に作製されている。
【００５１】
第２挟持部材９は、図７に示すように、主体部９ａと、その一端に設けた枢軸９ｂと、組み立てたとき第１挟持部材８の湾曲部８ｃが挿通される透孔９ｃと、第１挟持部材８の係止玉８ｈが挿入、係止される係止孔９ｄと、第１挟持部材８のズレ止め突起８ｉを受容する受け孔９ｅとを有する。
第２挟持部材９は、第１挟持部材８と同様に、可撓性プラスチックの成形により一体的に作製されている。
【００５２】
ヘアクリップ１Ａを図７に示す状態から組み立てるときには、図７に鎖線矢印で示すように、第２挟持部材９の枢軸９ｂを、第１挟持部材８のスリット８ｆを通じて軸孔８ｅに嵌め入れることにより、第１挟持部材８と第２挟持部材９とが枢支部４において互いに旋回可能なように連結され、それらを閉じたときに、ヘア挟持部５が形成されるようになっている。
【００５３】
<ヘアクリップ１Ａにより奏する効果>
次に、ヘアクリップ１Ａにより奏する効果を、図８に示す比較例であるヘアクリップ１１と比較して説明する。まず、ヘアクリップ１１について説明する。
【００５４】
ヘアクリップ１１は、図８（ｂ）に示すように、第１挟持部材１２と第２挟持部材１３とが枢支部１４において互いに旋回可能に連結され、これらを閉じたときには両者間にヘア挟持部１５が形成されており、枢支部１４は、ヘアクリップ１Ａの枢支部とは構造が異なる。
【００５５】
具体的には、第１挟持部材１８は、図８（ａ）に示すように、主体部１２ａの長さ方向Ｘの一端に形成した立上げ壁１８ｂと、その上端をヘア挟持部１５側へ曲げた湾曲部１２ｃから下方へ延びる延長部１８ｄと、湾曲部１８ｃに形成された軸孔１８ｅと、この軸孔１８ｅに通じるスリット１８ｆとを有する。
【００５６】
第２挟持部材１９は、図８（ａ）に示すように、主体部１９ａの一端に形成された枢軸１９ｂと、組み立てたとき第１挟持部材１８の湾曲部１８ｃが挿通される透孔１９ｃとを有する。
【００５７】
ヘアクリップ１１を図８（ａ）に示す状態から組み立てるときには、図８（ａ）に鎖線矢印で示すように、第２挟持部材１９の枢軸１９ｂを、第１挟持部材１８のスリット１８ｆを通じて軸孔１８ｅに嵌め入れることにより、第１挟持部材１８と第２挟持部材１９とが枢支部１４において互いに旋回可能に連結され、それらを閉じたときにヘア挟持部１５が形成されるようになっている。
【００５８】
ヘアクリップ１１の場合には、例えばペットの頭部への装着作業時や装着している期間中に、ペットのヘアがスリット１８ｆから枢支部１４の回りへ入り込み、絡みついてペットが痛がったり、ペットからヘアクリップを取り外しにくくなったりすることがある。
【００５９】
これに対して、ヘアクリップ１Ａは、図６に示すように、ヘア挟持部５と枢支部４との間に立上げ隔壁８ｂが設けられている。これにより、ヘア挟持部５で保持されているヘアが枢支部４側へ入り込むのが防止される。つまり、ヘアクリップ１１のように枢支部等にヘアが入り込んで絡まることにより違和感や不快感が生じて、ヘアクリップ１を外そうとする動きを行うのを防止できる。このため、ヘアクリップ１Ａは、ペットにも安定して装着させることができる。
【００６０】
また、ヘアクリップ１Ａでは、図７に示すように、第１挟持部材８に設けた立上げ隔壁８ｂと延長壁８ｄとの間のスリット８ｆを通じて、湾曲部８ｃ内の軸孔８ｅに第２挟持部材９の枢軸９ｂを収容することが可能であるため、プラスチック成形により作製した第１挟持部材８及び第２挟持部材９のみによって、それらの枢支部４を構成でき、製造コストを大幅に低減できる。
【００６１】
更にまた、第１挟持部材８と第２挟持部材９を可撓性プラスチックで作製することにより、枢支部４の組立作業を容易にすることができる。
【００６２】
〔第３実施形態〕
次に、本発明のヘアクリップの第２実施形態について説明する。
なお、第１実施形態と同じ構成要素については、同じ符号を付してその説明を省略する。
【００６３】
本実施形態のヘアクリップ１Ｂは、第１実施形態のヘアクリップ１と異なり、第１挟持部材２の外側の面に、図９に示すように、設置層２ｐが取り付けられている。また、第１挟持部材２に、設置層２ｐを確りと取付けるための切欠き２ｊが形成されている。
【００６４】
設置層２ｐは、装飾具６を第１挟持部材２に確りと設置させるためのものである。
具体的には、第１挟持部材２との当接面が少ない装飾具６を直接接着させると、装飾具６が剥がれてしまう可能性も考えらえる。そのような場合でも、装飾具６を設置層２ｐに接着させることにより、装飾具６を第１挟持部材２に確りと設置させることができる。
設置層２ｐは、繊維材料を平板状に成形した繊維集合体、例えば、フェルト、不織布、綿成形品、又はこれらの組合せ等により形成されている。
【００６５】
設置層２ｐは、第１挟持部材２の外側に当接した状態で、重合している箇所が接着剤等により接着されている。さらに、接着層２ｐは、糸２ｒにより、第１挟持部材２に括り付けられている。これにより、接着層２ｐが第１挟持部材２から剥がれるのを防止することができる。
【００６６】
切欠き２ｊは、設置層２ｐを第１挟持部材２に括り付けるためのものである。
切欠き２ｊは、図９に示すように、第１挟持部材２の縁に４つ形成されている。具体的には、軸筒２ｍ、２ｍの近傍で、幅方向Ｙに対向するように２つ形成されており、係止突起２ｇの近傍で、幅方向Ｙに対向するように２つ形成されている。
なお、本実施形態では、切欠き２ｊが４つ設けられているが、設置層２ｐを確りと第１挟持部材２に括り付けられるように、その数を適宜変更することができる。
【００６７】
切欠き２ｊが形成されていることにより、設置層２ｐが糸２ｒで第１挟持部材２に括り付けられると、括った糸２ｒや糸２ｒの結び目を切欠き２ｊの中に配置させることができる。これにより、括った糸２ｒや結び目が第１挟持部材２から出っ張らないので、装飾具６を確りと取付けることができる。また、設置層２ｐをヘアクリップ１Ｂの第１挟持部材２に沿って裁断できるので、切欠き２ｊが形成されていない場合よりも、ヘアクリップ１Ｂに取付けられる設置層２ｐを小型化させることができる。
【００６８】
具体的には、図１０（ｂ）に示すように、切欠き２ｊが形成されていない第１実施形態のヘアクリップの第１挟持部材２に設置層２ｐを糸２ｒで括り付けるときに、第１挟持部材２の外側の面に糸２ｒの結び目が形成されるようにすると、結び目が邪魔になり装飾具６が確りと取付けられない場合がある。また、結び目が側面に形成されるようにすると、糸２ｒだけでなく結び目も邪魔になり、設置層２ｐをヘアクリップ１Ｂの第１挟持部材２に沿って裁断する事ができない。そのため、図１０（ｂ）に示すように、設置層２ｐを大きめに裁断することになり、ヘアクリップを小型化するのが困難になる。
これに対して、ヘアクリップ１Ｂは、括った糸２ｒや糸２ｒの結び目を切欠き２ｊの中に配置させることができるので、装飾具６が確りと取付けることができ、設置層２ｐを小型化させることができる。
【００６９】
以上、本発明のヘアクリップについて上述した第１及び第２実施形態を挙げて説明したが、本発明はこれに限定されない。例えば、第１実施形態では、第１挟持部材２と第２挟持部材３が可撓性プラスチックで作製されているが、どちらか一方のみ可撓性プラスチックで作製されていてもよい。この場合でも、ヘアを確りと挟持したまま第１挟持部材２と第２挟持部材３が閉じて挟持部５が形成された状態を、安定して維持することができる。
【００７０】
また、第１実施形態では、ズレ止め突起の数が６個であるが、本発明はこれに限定されない。ズレ止め突起の数を増やすことにより、ヘアクリップをヘアにより安定的に固定することができる。
【００７１】
また、第１実施形態では、一対の第一ズレ止め突起２ｉｆと、その内側に第二ズレ止め突起２ｉｓと、その内側に第三ズレ止め突起２ｉｔが形成されているが、本発明はこれに限定されない。例えば、一対の第一ズレ止め突起２ｉｆと第三ズレ止め突起２ｉｔのみ形成されていてもよい。また、例えばペットの背中や足など、ヘアクリップを取付けたい部位の体表面に応じて、第三ズレ止め突起２ｉｔよりも、順次短くなる第四ズレ止め突起、第五ズレ止め突起などが形成されていてもよい。これにより、ヘアクリップをペットのさまざまな部位に安定して取付けることができる。
【００７２】
また、受け孔３ｅは、その周縁が、隆起２ｎの外縁よりも大きく形成されているが、図５（ｂ）のように、隆起２ｎの外縁よりも小さく形成されていてもよい。これにより、隆起２ｎと受け孔３ｅの周辺の主体部３ａにより、ヘアを確りと挟むことができる。
【００７３】
第１実施形態において、枢支部４の構造は、第１挟持部材２と第２挟持部材３を互いに旋回可能に連結させるものであれば、他の構造でもよい。その場合でも、隆起２ｎ及びズレ止め突起２ｉにより、ヘアに確りと固定できる。
また、第２実施形態において、ヘアクリップ１Ａの第１挟持部材８に、ヘアクリップ１の第１挟持部材２の隆起２ｎと同じ隆起が設けられていてもよい。
【００７４】
また、第１、第２実施形態では、装飾具６を第１挟持部材２の外面２ｋに取り付けたが、これを第２挟持部材３の外面３ｋに取り付けるようにしてもよい。この場合、第１挟持部材２が人間の頭部やペットの体に接するように湾曲して形成されている。
【産業上の利用可能性】
【００７５】
本発明は、以上のように構成したので、品数が少なく、製造コストも安く済み、不快感を生じさせることなく、人間用にもペット用にも適用可能できる。
【符号の説明】
【００７６】
１、１Ａ      ヘアクリップ
２      第１挟持部材
２ａ    主体部
２ｂ    立上げ隔壁
２ｉ    ズレ止め突起
２ｉｆ  第一ズレ止め突起
２ｉｓ  第二ズレ止め突起
２ｉｔ  第三ズレ止め突起
２ｊ    切欠き
２ｐ    設置層
３      第２挟持部材
３ａ    主体部
３ｆ    軸
３ｇ    フランジ
３ｈ    突起
４      枢支部
５      ヘア挟持部
６      装飾具
８      第１挟持部材
８ａ    主体部
９      第２挟持部材
１１    ヘアクリップ
１４    枢支部
１５    ヘア挟持部
１８    第１挟持部材
１９    第２挟持部材
【図１】
2019180824.tif 000003
【図２】
2019180824.tif 000004
【図３】
2019180824.tif 000005
【図４】
2019180824.tif 000006
【図５】
2019180824.tif 000007
【図６】
2019180824.tif 000008
【図７】
2019180824.tif 000009
【図８】
2019180824.tif 000010
【図９】
2019180824.tif 000011
【図１０】
2019180824.tif 000012